(57)【特許請求の範囲】
【請求項１】
電子機器において、
複数の穴を有する筐体と、
隣接する前記穴間に存在する前記筐体の部分の上部に搭載されるキーを含むキーボードとを有し、
前記筐体は、前記筐体部分の下部に前記穴と同形状の枠を有する、
ことを特徴とする電子機器。
【請求項２】
前記キーボードは、所定の配列で配置された複数のキーを有し、
前記筐体は、前記複数のキーの配列に対応して前記複数の穴を有する、
ことを特徴とする請求項１記載の電子機器。
【請求項３】
前記キーは、キートップを有し、該キートップの中心が前記筐体部分の上部に位置する、ことを特徴とする請求項１または２記載の電子機器。
【請求項４】
前記穴は、八角形である、ことを特徴とする請求項１及至３のいずれか１項に記載の電子機器。
【発明の詳細な説明】
【技術分野】
【０００１】
本発明は、キーボードを備えた電子機器に関する。
【背景技術】
【０００２】
近年、携帯電話機やラップトップ型のパーソナルコンピュータなどのように、情報を表示する表示装置が備えられた携帯型の電子機器が広く用いられてきている。携帯型の電子機器においては、処理の高速化や多機能化に加えて、装置の小型・軽量化が強く要求されており、薄型で軽量な液晶パネルを使った表示装置を適用したり、電子機器に内蔵される電子部品の小型化や高性能化が進められている。しかし、必要な性能を維持したまま電子部品を小型・軽量化するのには限界があり、近年では、筐体や操作子などの材質や、筐体内に各種部品を固定する構造などを工夫することによって、電子機器の小型・軽量化が図られてきている。
【０００３】
この点に関し、特許文献１および特許文献２には、筐体に複数の穴を設けることによって、筐体を軽量化する技術について記載されている。これらの技術を流用し、電子部品を保護している筐体やカバーなどのうち不要な部分を省くことによって、電子機器を確実に軽量化することができると考えられる。例えば、携帯型の電子機器には、電力供給用の充電池が搭載されていることが多く、この充電池は、筐体内に収容された後、さらに充電池の上面がカバーなどで覆われていることが一般的である。この充電池の一部を筐体の表面に露出することによって、カバーや本体筐体によって覆われていた分の厚みや重量を省くことができる。また、キーボードを備えた電子機器では、ハードディスクなどといった精密な電子部品にキーボードが接触してしまわないように、電子部品の上方に板金が設けられており、その板金上にキーボードが載せられていることが一般的である。電子機器を軽量化するためには、板金に代えてリブなどを用いてキーボードを筐体に固定することが好ましいと考えられる。
【特許文献１】特開２００５−１９６８６１号公報
【特許文献２】実開平６−３０３４３号公報
【発明の開示】
【発明が解決しようとする課題】
【０００４】
しかし、キーボードは比較的重いうえ、ユーザのキー操作時には上から押圧されるため、リブでキーボードを筐体に固定しようとすると、強度が不足してしまうという問題がある。また、板金が省かれることによって、キートップを下方から支える支持力がなくなるため、キーを押したときの操作感（クリック感）に物足りなさを感じてしまうという問題もある。
【０００５】
上記事情に鑑み、キーボードを固定する強度を維持して、装置を軽量化することができる電子機器を提供する。
【課題を解決するための手段】
【０００６】
上記目的を達成する電子機器の基本形態は、
複数の穴を有する筐体と、
隣接する穴間に存在する筐体の部分の上部に搭載されるキーを含むキーボードと、を有し、
上記筐体は、上記筐体部分の下部に上記穴と同形状の枠を有する。
【０００７】
この電子機器の基本形態では、筐体に複数の穴が設けられており、その隣接する穴間に存在する筐体部分の上部にキーが配置されるように、キーボードが取り付けられている。このため、キーボードを固定する強度を維持して装置を軽量化することができるとともに、ユーザにキーを押したときのクリック感を与えることができる。
また、筐体部分の上部にキーボードが搭載され、その裏面となる下部に筐体部分の穴と同形状の枠が設けられることによって、さらに強度を増加し、キートップを押したときのクリック感をさらに向上することができる。
【０００８】
また、上述した電子機器の基本形態に対して、
上記キーボードは、所定の配列で配置された複数のキーを有し、
上記筐体は、複数のキーの配列に対応して複数の穴を有するという応用形態は好ましい。
【０００９】
複数のキーの配列に対応した複数の穴が設けられることによって、複数のキーそれぞれを押したときのクリック感を維持することができる。
【００１０】
また、上述した電子機器の基本形態に対して、
上記キーは、キートップを有し、キートップの中心が上記筐体部分の上部に位置するという応用形態は好適である。
【００１１】
この好適な電子機器の応用形態によると、ユーザによって押圧されるキートップの中心が筐体部分によって下方から支持されるため、キートップを押したときに確実にクリック感を与えることができる。
【００１２】
また、上述した電子機器の基本形態に対して、
上記穴は、八角形であるという応用形態は好ましい。
【００１３】
パーソナルコンピュータに設けられたキーボードでは、キーの形状が四角形であることが一般的である。筐体に八角形の穴が設けられることによって、８つの穴の縁のうちの４つの縁がキーを構成する４つの辺それぞれに平行となるため、強度を維持して効率良く筐体を軽量化することができる。
【発明の効果】
【００１６】
以上説明したように、電子機器の基本形態によると、キーボードを固定する強度を維持して、装置を軽量化することができる。
【発明を実施するための最良の形態】
【００１７】
以下、図面を参照して、上記説明した基本形体および応用形態に対する具体的な実施形態を説明する。
【００１８】
図１は、上述した電子機器の具体的な第１実施形態であるパーソナルコンピュータ１０の外観図である。
【００１９】
パーソナルコンピュータ１０は、本体ユニット２０と表示ユニット３０とを備えており、表示ユニット３０は、ヒンジ部４０によって本体ユニット２０に対して開閉自在に連結されている。本体ユニット２０は、本実施形態における本体部の一例にあたり、表示ユニット３０は、本実施形態における表示部の一例にあたり、ヒンジ部４０は、本実施形態における連結部の一例に相当する。図１には、表示ユニット３０が開かれた状態のパーソナルコンピュータ１０を前方から見た図が示されている。
【００２０】
本体ユニット２０は、各種情報処理を実行するためのものであり、本体筐体２８の内部にＣＰＵやハードディスクなどが収容されている。本体筐体２８は、高強度な金属製の上部ケース２８Ａと下部ケース２８Ｂとで構成されている。上部ケース２８Ａの上面には、複数のキー２１が並んだキーボード、トラックパッド２２、左クリックボタン２３、および右クリックボタン２４等が備えられており、さらに、上部ケース２８Ａの前方には、指先がなぞられることによって指紋認証を行う指紋センサ２５と、小型記録媒体が装填される媒体装填口２６が設けられている。
【００２１】
表示ユニット３０は、本体ユニット２０で実行された情報処理結果を表示するためのものであり、表示筐体３２の内部に、薄型の液晶パネルや、液晶パネル用の制御回路や、通信用のアンテナなどが収容されている。表示筐体３２は、前方カバー３２Ａおよび後方カバー３２Ｂ（図２参照）によって構成されており、液晶パネルは、表示画面３１を前側にして前方カバー３２Ａおよび後方カバー３２Ｂによって前後から挟まれている。尚、表示ユニット３０は、各種電子部品を、液晶パネルの脇ではなく裏側に配置することによって、表示筐体３２の側面付近にまで表示画面３１が広げられたワイド型の表示装置である。
【００２２】
図２は、パーソナルコンピュータ１０の一側面側を示す図である。
【００２３】
本体ユニット２０の一側面には、ワイヤケーブル付きロック用のセキュリティスロット２６ａ、電源モジュール用のコネクタ２６ｂ、外付けモニタ用のコネクタ２６ｃ、ＬＡＮケーブル用のコネクタ２６ｄ、ＵＳＢ用のコネクタ２６ｅ，２６ｆ、オーディオジャック用のコネクタ２６ｇ、マイク用のコネクタ２６ｈ、およびヘッドフォン用のコネクタ２６ｉなどが設けられている。
【００２４】
図３は、パーソナルコンピュータ１０の、図２とは逆側の側面を示す図である。
【００２５】
本体ユニット２０の、図２とは逆側の側面には、ＬＡＮカードなどといった機能拡張用の拡張カードを装填するための拡張カード装填口２７ａ、ＣＤやＤＶＤ等の光ディスクを装填するための光ディスク装填口２７ｂ、ＵＳＢ用のコネクタ２７ｃ、およびモデム用のコネクタ２７ｄが設けられている。
【００２６】
図４は、パーソナルコンピュータ１０の背面図である。
【００２７】
パーソナルコンピュータ１０の背面には、電子部品で発生した熱を放熱する冷却機構を構成する吸気口２９ａと排気口２９ｂが設けられている。吸気口２９ａが排気口２９ｂよりも上側に設けられることによって、パーソナルコンピュータ１０の底付近に溜まった熱が吸気口２９ａから取り込まれてしまう不具合を軽減することができ、パーソナルコンピュータ１０を使用し続けても放熱効率を維持することができる。また、本体ユニット２０には、電力供給用の電池パック５０が嵌め込まれている。電池パック５０は、本実施形態における電池パックの一例に相当する。
【００２８】
図５は、パーソナルコンピュータ１０の底面図である。
【００２９】
本実施形態のパーソナルコンピュータ１０には、プリンタ等の周辺機器と接続するためのコネクタや拡張用のハードディスク装置が搭載され、パーソナルコンピュータ１０の機能を拡張するためのポートリプリケータが接続される。パーソナルコンピュータ１０の底面には、図４にも示す電池パック５０が露出しており、本体筐体２８に設けられた貫通孔６１からは、ポートリプリケータのコネクタと接続される拡張用コネクタ６０が露出している。
【００３０】
続いて、パーソナルコンピュータ１０の内部構成について説明する。
【００３１】
図６は、パーソナルコンピュータ１０の内部構成図である。
【００３２】
パーソナルコンピュータ１０には、図６に示すように、各種プログラムを実行するＣＰＵ１０１、ハードディスク装置１０３に格納されたプログラムが読み出されＣＰＵ１０１での実行のために展開される主メモリ１０２、各種プログラムやデータ等が保存されたハードディスク装置１０３、マイクやスピーカなどが搭載されたオーディオデバイス１０４、外部装置からデータを入力する入力インタフェース１０５、キーボードやトラックパッド２２などを含む操作子１０６、表示画面２１上に情報を表示に関する表示装置１０７、図１にも示す指紋センサ２５、小型記録媒体６１が装填され、装填された小型記録媒体６１をアクセスする小型メモリドライブ１０９、ＣＤ−ＲＯＭ６２やＤＶＤが装填され、その装填されたＣＤ−ＲＯＭ６２やＤＶＤをアクセスする光ディスクドライブ１１０、拡張カード６３を使って通信を行う通信インタフェース１１１、および外部装置へデータを出力する出力インタフェース１１２、前述の拡張用コネクタ６０などが内蔵されており、これらの各種要素は、バス１１３を介して相互に接続されている。
【００３３】
ここで、本実施形態のパーソナルコンピュータ１０は、装置の小型・軽量化と耐衝撃性の向上とを実現するための数々の工夫が施されている。まずは、本体ユニット２０における小型・軽量化の工夫について説明する。
【００３４】
図７は、電池パック５０を外したときのパーソナルコンピュータ１０の底面を示す図である。
【００３５】
本体筐体２８の下部ケース２８Ｂには、パーソナルコンピュータ１０の側面から底面に亘った切り欠き２８ａが設けられている。電池パック５０が本体筐体２８から外された状態では、上面に複数のキー２１が並んだキーボードなどが搭載される仕切り板７５が表面に露出している。切り欠き２８ａによって形成された空間は、本実施形態における収容部の一例に相当する。
【００３６】
電池パック５０は、本体筐体２８と対向する面に長手方向に延びる溝５１が設けられており、側面には突起５２が設けられている。溝５１は、本実施形態における「電池パックの溝部」の一例に相当する。
【００３７】
また、本体筐体２８は、仕切り板７５の下面に電池パック５０の溝５１と嵌合する突起部７４が設けられており、切り欠き２８ａの一側面側に、電池パック５０から電力を入力するための電力入力端子７１と、電池パック５０の突起５２が挿入される凹部７２が設けられており、切り欠き２８ａの他側面側には、電池パック５０に設けられた爪５４（図１０参照）が嵌め込まれる凹部７３が設けられている。本体筐体２８の突起部７４が電池パック５０の溝５１に嵌め込まれることによって、電池パック５０を本体筐体２８に対して容易に位置決めすることができ、電池パック５０の誤装着を防止することができるとともに、電池パック５０のガタツキを軽減することができる。突起部７４は、本実施形態における「電池パックの溝部と嵌合する突起部」の一例に相当する。
【００３８】
図８は、電池パック５０を外した状態における下部ケース２８Ｂの底面図である。
【００３９】
下部ケース２８Ｂには切り欠き２８ａが設けられており、電池パック５０は、この切り欠き２８ａに嵌め込まれることによって、底面と１側面がパーソナルコンピュータ１０の外面に露出する。このように、電池パック５０の一部をパーソナルコンピュータ１０の外面に露出させることによって、切り欠き２８ａに相当する分の本体筐体２８の壁を省くことができ、装置の小型・軽量化を図ることができる。
【００４０】
図９は、電池パックの透過図である。
【００４１】
図９に示すように、電池パック５０には、円筒形状を有する複数のセル５３が中心軸を矢印Ａ方向に揃えて並べて収容されている。セル５３は、本実施形態におけるセルの一例に相当する。電池パック５０の内部では、隣接するセル５３間に隙間が生じており、電池パック５０の外面には、その隙間に対して窪んだ溝５１が設けられている。本実施形態においては、複数のセル５３間に生じた隙間を利用して溝５１が形成されているため、装置を大型化せずに十分に深く長い溝５１を設けることができ、電池パック５０のガタツキを確実に防止することができる。また、溝５１は、一端側が電池パック５０の面内で途切れており、その一端側の内部空間Ｐには、電力出力端子５５（図１０参照）や基板などといった電子部品が収容されている。一方、溝５１の他端側は電池パック５０の側面まで延び、溝５１の長さは図７に示す突起部７４よりも長い。溝５１が電池パック５０の縁まで延びることによって、電池パック５０を本体筐体２８に装着しやすくなるとともに、電池パック５０と本体筐体２８との嵌合面積が増加し、電池パック５０のガタツキを確実に抑えることができる。
【００４２】
図１０は、電池パックの一側面を示す図であり、図１１は、電池パックの、図１０とは逆側の側面を示す図である。
【００４３】
図１０に示すように、電池パック５０の一側面には、図７に示す凹部７３に嵌め込まれる爪５４が設けられており、図１１に示すように、電池パック５０の、図１０とは逆側の側面には、図７に示す電力入力端子７１と接続され、パーソナルコンピュータ１０に電力を出力するための電力出力端子５５と、本体筐体２８の凹部７２に挿入される突起５２が設けられている。電力出力端子５５は、本実施形態における電力出力端子の一例にあたり、突起５２は、本実施形態における「電池パックに設けられた突起部」の一例にあたり、爪５４は、本実施形態における付勢係止爪の一例に相当する。電池パック５０の、相対的に面積が小さい側面に爪５４や突起５２が設けられ、電池パック５０が長手方向の両端側で本体筐体２８に対して固定されることによって、電池パック５０を本体筐体２８に確実に固定することができる。
【００４４】
以上のように、本実施形態によると、装置の大型化や重量の増加を抑えて、電池パック５０を正しく装着することができるとともに、装着後の電池パック５０のガタツキや抜けを確実に抑えることができる。
【００４５】
続いて、図７に示す仕切り板７５の上面側における装置の小型・軽量化の工夫について説明する。
【００４６】
図１２は、仕切り板７５の上面に設置されるキーボードと操作子ボードを示す図である。
【００４７】
仕切り板７５の上面には、複数のキー２１が並んだキーボード９０や、各種ボタンが並んだ操作子ボード８０が配置される。操作子ボード８０およびキーボード９０は、本実施形態における第１電子部品の一例にあたるとともに、キーボード９０は、本実施形態におけるキーボードの一例にも相当する。
【００４８】
図１３は、パーソナルコンピュータ１０から操作子ボード８０を取り外した状態を示す図であり、図１４は、パーソナルコンピュータ１０から操作子ボード８０とキーボード９０とを取り外した状態を示す図である。
【００４９】
パーソナルコンピュータ１０から操作子ボード８０やキーボード９０を取り外すと、仕切り板７５の上面が露出する。仕切り板７５の上面には、スピーカ２１０が設置されており、スピーカ２１０はケーブル２１１によって制御回路（図示しない）に接続されている。スピーカ２１０は、本実施形態における第２電子部品の一例にあたるとともに、本実施形態におけるスピーカの一例に相当する。また、図７に示す突起部７４は、仕切り板７５の上面側から内部が刳り貫かれており、仕切り板７５の上面側に凹部７４´が形成されている。凹部７４´は、本実施形態における「内部空間を形成する凹部」の一例に相当する。
【００５０】
図１５は、凹部７４´付近の拡大図である。
【００５１】
図１５に示すように、凹部７４´には、スピーカ２１０に接続されたケーブル２１１が配設されており、テープ２１１´によってケーブル２１１が凹部７４´に固定されている。また、図１３および図１４に示すように、ケーブル２１１は、操作子ボード８０およびキーボード９０によって覆われて、凹部７４´に固定されることとなる。このように、電池パック５０を装着するための突起７４の内部空間が刳り貫かれた凹部７４´を利用することによって、ケーブル２１１を配線するためのスペースを確実に確保することができる。また、突起７４の、電池パック５０と対向する面の裏面側が刳り貫かれてケーブル２１１が配線されることによって、電池パック５０の着脱時にケーブル２１１が傷つけられてしまう不具合を防止することができる。
【００５２】
以上のように、電池パック５０の位置決めを行うための突起７４の内部空間を利用することによって、装置の大型化や重量の増加を抑えて、ケーブル２１１を配線するためのスペースを確実に確保することができる。
【００５３】
また、図１４に示すように、仕切り板７５の、電池パック５０が収容されている部分には、複数の弾性片２１４と穴２１３が設けられており、複数の穴２１３の間に形成される筐体部分２１５と弾性片２１４とは交互に配置されている。弾性片２１４は、本実施形態にいう弾性片の一例にあたり、筐体部分２１５は、本実施形態にいう「穴間に存在する筐体の部分」の一例に相当する。
【００５４】
図１６は、仕切り板７５の、電池パック５０と対向する下面側を示す図であり、図１７は、電池パック５０が収容された状態における仕切り板７５の上面側を示す図である。
【００５５】
図１６に示すように、弾性片２１４および筐体部分２１５には、電池パック５０に向けて延出した突起２１４´，２１５´が設けられており、弾性片２１４の突起２１４´は、筐体部分２１５の突起２１５´よりも延出量が大きい。弾性片２１４の突起２１４´は、本実施形態における第１の突起部の一例にあたり、筐体部分２１５の突起２１５´は、本実施形態における第２の突起部の一例に相当する。
【００５６】
図１７に示すように、弾性片２１４および筐体部分２１５はそれぞれから電池パック５０に向けて延出した突起２１４´，２１５´を備えており、突起２１４´，２１５´は電池パック５０が収容された状態において電池パック５０とそれぞれ所定の間隙を生じるように設計されている。すなわち、弾性片２１４の突起２１４´は、筐体部分２１５の突起２１５´よりも延出量が大きいため、電池パック５０との間に形成される間隙が筐体部分２１５の突起２１５´と電池パック５０間に形成される間隙より狭くなるよう設計されている。
【００５７】
電池パック５０は、製造バラツキによりその外形サイズが仕様と異なってしまう。このような製造バラツキにより電池パック５０の外形サイズが仕様より若干大きい場合、本実施形態においては、弾性片２１４の突起２１４´のみが電池パック５０に接触し、電池パック５０のサイズ誤差を吸収した状態で適切に電池パック５０を保持する。このように、筐体部分２１５と電池パック５０が接触しないため、電池パック５０が筐体部分２１５と接触することにより発生する電池パック５０の破損やパーソナルコンピュータ１０の故障を防止することができる。また、本実施形態によると、弾性片２１４の突起２１４´が電池パック５０を付勢することで、電池パック５０のガタツキを確実に抑えることができる。
【００５８】
弾性片２１４および筐体部分２１５の上部には、図１２に示すキーボード９０が配置される。本実施形態によると、筐体部分２１５に電池パック５０が接触しない状態で弾性片２１４のみで電池パック５０のサイズ誤差を吸収することで、筐体部分２１５上に搭載されるキーボード９０を操作するユーザに違和感のないキーの打鍵感覚を提供するようにしている。また、このキーボードは弾性片２１４が際限なく押し曲げられることを防止するよう機能する。
【００５９】
また、電池パック５０の外形サイズが設計仕様より更に大きい場合、本実施形態においては、電池パック５０は弾性片２１４と筐体部分２１５の双方に接触することになる。この弾性片２１４は仕切り板７５から延出されその一端のみが仕切り板７５につながったものであり、それに対し、筐体部分２１５はその両端が仕切り板７５につながったものとなる。従って、弾性片が筐体部分と同幅であると、弾性片が生じる弾性力は小さいものとなる。本実施形態においては、図１５に示すように、弾性片２１４の幅Ｗ１は、筐体部分２１５の幅Ｗ２よりも広く形成されている。これにより、弾性片２１４と筐体部分２１５が均等に変形して両者が生じる弾性力が均等になるようにしている。その結果、均等な力で電池パック５０のガタツキを抑えることができる。また、弾性片２１４および筐体部分２１５は、キー２１を下部から支持することとなり、各キー２１を押したときに同様なクリック感を与えることができる。
【００６０】
このように本実施形態は、電池パックのサイズ誤差が小さい場合には、仕切り板７５（筐体）とは独立して変形される弾性片２１４の突起２１４´のみが電池パック５０に接触してそのサイズ誤差を吸収することで、キーボードの操作時にユーザが感じる違和感を排除している。また、電池パック５０のサイズ誤差が大きい場合には、弾性片２１４の突起２１４´および筐体部分２１５の突起２１５´の双方が電池パック５０に接触することで強い弾性力でもって電池パック５０に対抗するよう機能し、サイズ誤差を吸収するようにしている。
【００６１】
ここで、図１４に示すように、仕切り板７５には、キーボード９０のキー２１に相当する位置に、八角形の穴２１２が複数設けられている。穴２１２は、本実施形態における「筐体の穴」の一例に相当する。
【００６２】
図１８は、キー２１と穴２１２との位置関係を示す図である。
【００６３】
図１８に示すように、キーボード９０を構成する複数のキー２１は、四角形を有しており、穴２１２は、八角形の上下２辺を各キー２１の上下２辺と合わせ、各キー２１の左右２辺が八角形の中心部分を通るように配置されている。その結果、隣接する穴２１２間に存在する筐体部分の上部にキー２１の中心が位置することとなり、強度を維持して仕切り板７５を軽量化することができるとともに、キー２１を押したときのクリック感を維持しキーボード９０が撓むことを防止できる。
【００６４】
このように、本実施形態によると、キーボード９０を固定する強度を維持し、装置を軽量化することができる。
【００６５】
また、図１６に示すように、仕切り板７５は、この八角形の穴２１２に続き電池パック５０と対向する下面側に穴２１２と同形状の八角形の枠を備える。この八角形の枠は、筐体をさらに強度にし、キーボード９０を固定する強度の増加に寄与する。
【００６６】
続いて、図７に示す仕切り板７５の下面側における各種工夫について説明する。
【００６７】
仕切り板７５の、キーボード９０が搭載される上面側の裏面である下面側には、電池パック５０が搭載されるとともに、ＣＰＵ１０１やハードディスク装置１０３などといった各種電子部品が搭載される。
【００６８】
図１９は、仕切り板７５の下面側を示す図である。
【００６９】
仕切り板７５の下面は、リブなどによって電子部品を嵌め込むためのスペースが区切られており、仕切り板７５の下面に電子部品が固定されて、図８に示す下部ケース２８Ｂが装着されることによって電子部品が収容される。仕切り板７５と上部ケース２８Ａとを合わせたものは、本実施形態における筐体フレームの一例にあたり、下部ケース２８Ｂは、本実施形態における筐体カバーの一例に相当する。仕切り板７５には、マザーボード３００Ａがネジ止めされており、マザーボード３００Ａには、補助基板３００Ｂが重ねられている。また、マザーボード３００Ａには、冷却ファン３２０、ハードディスク３１０（図６に示すハードディスク装置１０３を構成する）、制御回路３４０、ＩＣチップ３３０などが搭載されており、補助基板３００Ｂからは、図５にも示す拡張用コネクタ６０が突出している。さらに、ハードディスク３１０と制御回路３４０は、折り曲げられたフレキシブルプリント基板３５０によって接続されており、マザーボード３００Ａ上の電子部品と補助基板３００Ｂ上の電子部品もフレキシブルプリント基板４３０によって接続されている。
【００７０】
図２０は、フレキシブルプリント基板３５０付近の拡大図である。
【００７１】
フレキシブルプリント基板３５０は、ハードディスク３１０のコネクタ（図示しない）に接続される第１コネクタ（図示しない）を有しており、さらに、第１コネクタがハードディスク３１０に接続された状態でパーソナルコンピュータ１０の背面側に折り曲げられた幅広部３５１と、幅広部３５１からハードディスク３１０との接続方向に向けて折り曲げられ、幅広部３５１に重なって制御回路３４０に向けて延びた延在部３５２と、制御回路３４０のコネクタと接続される第２コネクタ３５３と、幅広部３５１から延在部３５２とは交わる方向に延びた補強板３５４とを有している。ハードディスク３１０とフレキシブルプリント基板３５０は、緩衝材３１２が設けられた箱状のプラスチックケース３１１に収容されている。フレキシブルプリント基板３５０の補強板３５４および延在部３５２は、プラスチックケース３１１の上面と側面との境界線上に設けられた切り込みを介してプラスチックケース３１１の外側に露出し、制御回路３４０などに接続されている。プラスチックケース３１１については、後で詳しく説明する。フレキシブルプリント基板３５０は、本実施形態におけるフレキシブルプリント基板の一例にあたり、補強板３５４は、本実施形態における補強板の一例に相当する。
【００７２】
図２１は、フレキシブルプリント基板３５０の補強板３５４をめくった状態を示す図である。
【００７３】
マザーボード３００Ａには、同じモデルのパーソナルコンピュータに標準的に搭載されるＩＣチップ３３０に加えて、セキュリティ機能を追加する場合にのみ選択的に追加される追加ＩＣチップ３６０も搭載されている。フレキシブルプリント基板３５０の補強板３５４には、マザーボード３００Ａに実装されたコネクタ３７０に接続される第３コネクタ３５６が設けられており、補強板３５４は、第３コネクタ３５６が設けられた位置よりもさらに長く延びて追加ＩＣチップ３６０上に覆いかぶさる。したがって、ネジやはんだを使って追加ＩＣチップ３６０を固定しなくても、追加ＩＣチップ３６０の脱落を防止することができる。マザーボード３００Ａに実装されたコネクタ３７０は、本実施形態における第１接続部の一例にあたり、フレキシブルプリント基板３５０の第３コネクタ３５６は、本実施形態における第２接続部の一例にあたり、追加ＩＣチップ３６０は、本実施形態における「基板に選択的に搭載される部品」の一例に相当する。
【００７４】
図２２は、図８に示す下部ケース２８Ｂの上面図である。
【００７５】
下部ケース２８Ｂの上面には、上部ケース２８Ａに装着されたときに、マザーボード３００Ａのコネクタ３７０に対応する位置に設けられた第２突起３８２と、追加ＩＣチップ３６０の搭載位置に対応する位置に設けられた第１突起３８１とが設けられている。第１突起３８１および第２突起３８２は、本実施形態における「補強板に当接する突起部」の一例に相当する。
【００７６】
図１９に示すマザーボード３００Ａや補助基板３００Ｂは、下部ケース２８Ｂの上面に設けられたビスなどによって押圧されており、各種ＩＣチップ３３０はそれらマザーボード３００Ａや補助基板３００Ｂにはんだ付けされている。オプションの機能を追加するときには、追加ＩＣチップ３６０がマザーボード３００Ａに接続され、フレキシブルプリント基板３５０の補強板３５４が覆いかぶされた状態で下部ケース２８Ｂが装着される。その結果、下部ケース２８Ｂの第１突起３８１が補強板３５４を介してマザーボード３００Ａのコネクタ３７０とフレキシブルプリント基板３５０の第３コネクタ３５６とを押圧し、下部ケース２８Ｂの第２突起３８２が補強板３５４を介して追加ＩＣチップ３６０を押圧する。このように、本実施形態によると、下部ケース２８Ｂを装着するだけで、容易にかつ確実に追加ＩＣチップの脱落を防止することができる。
【００７７】
また、図２１にも示すように、ハードディスク３１０は、緩衝材３１２が設けられた箱状のプラスチックケース３１１に収容されている。プラスチックケース３１１は、本実施形態における箱状ケースの一例に相当する。
【００７８】
図２３は、フレキシブルプリント基板３５０が接続されたハードディスク３１０の、下部ケース２８Ｂと対向する下面側を示す図であり、図２４は、ハードディスク３１０の、上面側を示す図である。
【００７９】
上述したように、ハードディスク３１０には、折り曲げられたフレキシブルプリント基板３５０が接続されている。フレキシブルプリント基板３５０は、ハードディスク３１０の、下部ケース２８Ｂと対向する面に幅広部３５１が広がり、延在部３５２が折り曲げられて幅広部３５１と重なっており、補強板３５４が延在部３５２とは交わる方向に突出している。幅広部３５１は、本実施形態における第１部位の一例にあたり、延在部３５２は、本実施形態における第２部位の一例にあたり、補強板３５４は、本実施形態における第３部位の一例に相当する。
【００８０】
また、プラスチックケース３１１には、ハードディスク３１０の下面、上面それぞれと対向する面に複数の緩衝材３１２，３１４が設けられており、下面側に、ハードディスクの、コネクタが設けられた一側面４０１側から、一側面４０１とは逆側の他側面４０２側に向けてめくり上げるための切り込み３１３が設けられている。切り込み３１３が設けられることによって、フレキシブルプリント基板３５０を容易にプラスチックケース３１１内に収容することができる。下部カバー３２Ｂと接触する緩衝材３１２は、本実施形態における第２緩衝材の一例にあたり、仕切り板７５と対向する緩衝材３１４は、本実施形態における第１緩衝材の一例に相当する。
【００８１】
本実施形態によると、ハードディスク３１０接続されたフレキシブルプリント基板３５０がハードディスク３１０と下部カバー３２Ｂとの間に折り曲げられた状態で介在するため、パーソナルコンピュータ１０が落下したときなどには、フレキシブルプリント基板３５０がクッションとなって衝撃を吸収する。このため、大量の緩衝材などを設けることなく、ハードディスク３１０にかかる衝撃を軽減することができ、ハードディスク３１０の故障や破損といった事故を防止することができる。
【００８２】
続いて、図１９に示す拡張用コネクタ６０について詳しく説明する。
【００８３】
図１９に示すように、マザーボード３００Ａには補助基板３００Ｂが重ねられており、補助基板３００Ｂから拡張用コネクタ６０が突出し、図５に示すように、本体筐体２８の貫通孔６１から露出している。
【００８４】
図２５は、拡張用コネクタ６０付近の拡大図である。
【００８５】
図２５に示すように、マザーボード３００Ａと補助基板３００Ｂとの間には段差が設けられており、補助基板３００Ｂは、マザーボード３００Ａに比べて下部ケース２８Ｂに近い側に突き出している。
【００８６】
図２６は、補助基板３００Ｂの、下部ケース２８Ｂと対向する下面側を示す図であり、図２７は、補助基板３００Ｂの上面側を示す図である。
【００８７】
補助基板３００Ｂには、下面側に拡張用コネクタ６０が実装されており、上面側に補助基板３００Ｂを挟んで拡張用コネクタ６０と重畳する連結用コネクタ４１０が実装されている。拡張用コネクタ６０は、本実施形態における第３コネクタの一例にあたり、連結用コネクタ４１０は、本実施形態における第２コネクタの一例にあたり、補助基板３００Ｂは、本実施形態における第２基板の一例に相当する。
【００８８】
図２８は、マザーボード３００Ａの、補助基板３００Ｂを外した状態を示す図である。
【００８９】
マザーボード３００Ａの、下部ケース２８Ｂと対向する下面側には、図２７に示す補助基板３００Ｂの連結用コネクタ４１０が接続される本体側コネクタ４２０が実装されている。本体側コネクタ４２０は、本実施形態における第１コネクタの一例にあたり、マザーボード３００Ａは、本実施形態における第１基板の一例に相当する。
【００９０】
マザーボード３００Ａに補助基板３００Ｂが接続されるときには、マザーボード３００Ａの本体側コネクタ４２０に補助基板３００Ｂの連結用コネクタ４１０が装着されることによって、本体側コネクタ４２０、補助基板３００Ｂ、および拡張用コネクタ６０が重なって結合されることとなり、マザーボード３００Ａとポートリプリケータとを直接に接続できる長いコネクタを特別に製造する必要がなく、コストを抑えてポートリプリケータを確実に接続することができる。
【００９１】
図２９は、拡張用コネクタ６０付近の拡大図である。
【００９２】
図２９に示すように、マザーボード３００Ａと補助基板３００Ｂには、本体側コネクタ４２０、補助基板３００Ｂ、および拡張用コネクタ６０に加えて、フレキシブルプリント基板４３０を使って、それぞれの基板上に実装された電子部品を相互に接続するためのコネクタ４３１，４３２が設けられている。フレキシブルプリント基板４３０は、本実施形態における信号線の一例に相当する。
【００９３】
マザーボード３００Ａおよび補助基板３００Ｂそれぞれに搭載された電子部品間がフレキシブルプリント基板４３０で接続されることによって、段差によって形成される空間を有効的に利用することができ、装置を小型化することができる。
【００９４】
図３０は、ポートリプリケータ５００の外観図であり、図３１は、ポートリプリケータ５００にパーソナルコンピュータ１０が装着された状態を示す図である。
【００９５】
図３０に示すように、ポートリプリケータ５００の上面には、パーソナルコンピュータ１０が装着されたときにパーソナルコンピュータ１０の拡張用コネクタ６０と結合されるコネクタ５１０が突出している。コネクタ５１０は、本実施形態における外部機器側コネクタの一例に相当する。ポートリプリケータ５００に対してパーソナルコンピュータ１０を着脱する際には、拡張用コネクタ６０が強い力で押し引きされるが、本実施形態によると、本体側コネクタ４２０、補助基板３００Ｂ、および拡張用コネクタ６０が重なって結合されているために強度が高められており、繰り返しパーソナルコンピュータ１０を着脱することによる拡張用コネクタ６０のガタツキや破損を防止することもできる。
【００９６】
続いて、表示ユニット３０における小型・軽量化の工夫について説明する。
【００９７】
図３２は、表示ユニット３０の側面図である。
【００９８】
表示ユニット３０は、前方カバー３２Ａと後方カバー３２Ｂとの間に液晶パネル６１０が収容されている。前方カバー３２Ａは、本実施形態における前カバーの一例にあたり、後方カバー３２Ｂは、本実施形態における後カバーの一例にあたり、液晶パネル６１０は、本実施形態における表示パネルの一例に相当する。
【００９９】
前方カバー３２Ａは、液晶パネル６１０の前面側の周縁を覆う前枠部６１０Ａと、液晶パネル６１０の側面側に回り込んだ前リブ部６１０Ｂとで構成されており、前リブ部６１０Ｂの、後カバー３２Ｂと対面する後端面には、相互に距離をあけて複数の突起６３０が設けられている。前枠部６１０Ａは、本実施形態における前枠の一例にあたり、前リブ部６１０Ｂは、本実施形態における前リブの一例に相当し、突起６３０は、本実施形態における「窪み部に入り込む突部」の一例に相当する。また、この例では、前リブ部６１０Ｂが本実施形態における第２のリブの一例にあたるとともに、前方カバー３２Ａの後端面は、本実施形態における第２の端面の一例に相当する。
【０１００】
後カバー３２Ｂは、前リブ部６１０Ｂと嵌り合うことによって液晶パネル６１０の側面および背面を覆っている。前リブ部６１０Ｂと対面する前端面は、液晶パネル６１０に近い内側が高い段差に形成されており、段差の上段部分６４０に、下段部分よりも窪んで前リブ部６１０Ｂの突起６３０が挿入される窪み６５０が設けられている。窪み６５０は、本実施形態における窪み部の一例に相当する。また、この例では、後カバー３２Ｂの、液晶パネル６１０の側面を覆う部分が、本実施形態における第１のリブの一例にあたるとともに、後カバー３２Ｂの前端面は、本実施形態における第１の端面の一例に相当する。
【０１０１】
図３３は、後カバー３２Ｂに取り付けられた液晶パネル６１０を示す図である。
【０１０２】
図３３に示すように、後カバー３２Ｂの窪み６５０は、後カバー３２Ｂの側辺に沿って間隔をもって複数設けられており、前端面および内面の双方に開口している。
【０１０３】
図３４は、前カバー３２Ａと後カバー３２Ｂとの嵌合部分の拡大図である。
【０１０４】
図３２にも示す前カバー３２Ａの突起６３０には、中央部分に線状突起６３１が形成されており、窪み６５０の寸法誤差を吸収している。前カバー３２Ａは、枠部分６６０が後カバー３２Ｂの前端面に形成された段差の下段部分に当接され、枠部分６６０の内側に後カバー３２Ｂの上段部分６４０が入り込む。上段部分６４０には、外方に突出する凸部６４１が設けられており、枠部分６６０に設けられた凸部６６１（図３７参照）と嵌り合う。さらに、前カバー３２Ａの突起６３０は、後カバー３２Ｂの窪み６５０に挿入される。図３４に示すように、窪み６５０の幅Ｗ３は上段部分６４０の幅Ｗ４よりも狭いため、表示筐体３２の強度を維持することができる。
【０１０５】
図３５は、後カバー３２Ｂの上段部分６４０に凸部６４１が設けられていない第１の領域における表示ユニット３０の断面図である。
【０１０６】
図３５に示す第１の領域では、前カバー３２Ａの枠部分６６０が後カバー３２Ｂの段差の下段部分に当接され、さらに、後カバー３２Ｂの上段部分６４０が前カバー３２Ａの枠部分６６０よりも内側に入り込んで重なっている。
【０１０７】
図３６は、前カバー３２Ａの突起６３０が設けられた第２の領域における表示ユニット３０の断面図である。
【０１０８】
図３６に示す第２の領域では、前カバー３２Ａの枠部分６６０が後カバー３２Ｂの段差の下段部分に当接されるとともに、後カバー３２Ｂの内側に下段部分よりもさらに窪んだ窪み６５０が設けられており、その窪み６５０に、前カバー３２Ａの枠部分６６０よりも内側に設けられた突起６３０が挿入されている。その結果、前カバー３２Ａの突起６３０が後カバー３２Ｂの窪み６５０の内側に入り込んで重なっている。
【０１０９】
このように、本実施形態によると、図３５に示す第１の領域では、後カバー３２Ｂを内側にして前カバー３２Ａと後カバー３２Ｂとが重なっており、図３６に示す第２の領域では、前カバー３２Ａを内側にして前カバー３２Ａと後カバー３２Ｂとが重なっている。したがって、前カバー３２Ａと後カバー３２Ｂが相互に重なり方向の移動を規制し合うため、別部材のリブを用いずに前カバー３２Ａと後カバー３２Ｂを固定することができ、装置の小型・軽量化と、表示画面の大型化とを両立することができる。
【０１１０】
図３７は、後カバー３２Ｂの上段部分６４０に凸部６４１が設けられた第３の領域における表示ユニット３０の断面図である。
【０１１１】
図３７に示すように、第３の領域では、図３５に示す第１の領域と比較して、後カバー３２Ｂの上段部分６４０に外側に突出する凸部６４１が設けられており、前カバー３２Ａの枠部分６６０には内側に突出する凸部６６１が設けられている。それら凸部６４１，６６１が噛み合うことによって、前カバー３２Ａと後カバー３２Ｂとを確実に固定することができる。後カバー３２Ｂの凸部６４１は、本実施形態における係合突部の一例にあたり、前カバー３２Ａの凸部６６１は、本実施形態における嵌入突部の一例に相当する。
【０１１２】
以上のように、本実施形態によると、表示筐体３２の、液晶パネル６１０の縁を取り囲む部分の幅を狭めることができ、装置の小型・軽量化と、表示画面の大型化とを両立することができる。
【０１１３】
ここで、上記では、「課題を解決するための手段」で説明した電子機器の一例としてパーソナルコンピュータが示されているが、この電子機器は、ノートブック型コンピュータ、ＰＤＡ、ゲーム機、テレビ、および携帯電話機などであってもよい。
【０１１４】
また、上記では、表示パネルとして液晶パネルを例にしたが、液晶パネルに限らず、プラズマディスプレイや電界放出ディスプレイ、有機ＥＬディスプレイなどその表示パネルの種類を問うものではない。
【０１１５】
また、上記では、キーボードを支持する仕切り板の、複数のキーそれぞれに対応する位置に八角形の穴をあける例について説明したが、例えば、円形の穴を設けても良い。しかし、パーソナルコンピュータに設けられたキーボードでは、キーの形状が四角形であることが一般的であり、仕切り板に八角形の穴が設けられることによって、８つの穴の縁のうちの４つの縁がキーを構成する４つの辺それぞれに平行となるため、強度を維持して効率良く筐体を軽量化することができる。
【０１１６】
また、上記では、フレキシブルプリント基板を折り曲げてハードディスクの破損を防止する例について説明したが、本実施形態にいう第１電子部品は、ハードディスク以外の機械駆動式電子部品であってもよく、例えば、記録媒体用のドライブなどであってもよい。
【０１１７】
また、上記では、パーソナルコンピュータがポートリプリケータに接続される例について説明したが、本実施形態にいう機能拡張装置としては、ポートリプリケータだけではなく、光ディスクドライブや拡張バッテリ等を内蔵する拡張ステーションやドッキングステーション、パーソナルコンピュータに通信機能を付加する外付けアダプタなどであってもよい。
【図面の簡単な説明】
【０１１８】
【図１】電子機器の具体的な第１実施形態であるパーソナルコンピュータの外観図である。
【図２】パーソナルコンピュータの一側面側を示す図である。
【図３】パーソナルコンピュータの、図２とは逆側の側面を示す図である。
【図４】パーソナルコンピュータの背面図である。
【図５】パーソナルコンピュータの底面図である。
【図６】パーソナルコンピュータの内部構成図である。
【図７】電池パックを外したときのパーソナルコンピュータの底面を示す図である。
【図８】電池パックを外した状態における下部ケースの底面図である。
【図９】電池パックの透過図である。
【図１０】電池パックの一側面を示す図である。
【図１１】電池パックの、図１０とは逆側の側面を示す図である。
【図１２】仕切り板の上面に設置されるキーボードと操作子ボードを示す図である。
【図１３】パーソナルコンピュータから操作子ボードを取り外した状態を示す図である。
【図１４】パーソナルコンピュータから操作子ボードとキーボードとを取り外した状態を示す図である。
【図１５】凹部付近の拡大図である。
【図１６】仕切り板の、電池パックと対向する底面側を示す図である。
【図１７】電池パックが収容された状態における仕切り板の上面側を示す図である。
【図１８】キーと穴との位置関係を示す図である。
【図１９】仕切り板の下面側を示す図である。
【図２０】フレキシブルプリント基板付近の拡大図である。
【図２１】フレキシブルプリント基板の補強板をめくった状態を示す図である。
【図２２】下部ケースの上面図である。
【図２３】フレキシブルプリント基板が接続されたハードディスクの、下部カバーと対向する下面側を示す図である。
【図２４】ハードディスクの、上面側を示す図である。
【図２５】拡張用コネクタ付近の拡大図である。
【図２６】補助基板の、下部カバーと対向する下面側を示す図である。
【図２７】補助基板の上面側を示す図である。
【図２８】マザーボードの、補助基板を外した状態を示す図である。
【図２９】拡張用コネクタ付近の拡大図である。
【図３０】ポートリプリケータの外観図である。
【図３１】ポートリプリケータにパーソナルコンピュータが装着された状態を示す図である。
【図３２】表示ユニットの側面図である。
【図３３】後カバーに取り付けられた表示パネルを示す図である。
【図３４】前カバーと後カバーとの嵌合部分の拡大図である。
【図３５】後カバーの上段部分に凸部が設けられていない第１の領域における表示ユニットの断面図である。
【図３６】前カバーの突起が設けられた第２の領域における表示ユニットの断面図である。
【図３７】後カバーの上段部分に凸部が設けられた第３の領域における表示ユニットの断面図である。
【符号の説明】
【０１１９】
１０      パーソナルコンピュータ
２０    本体ユニット
２１    キー
２２    トラックパッド
２３    左クリックボタン
２４    右クリックボタン
２５    指紋センサ
２５ａ    ガイド
２６    媒体装填口
２６ａ    セキュリティスロット
２６ｂ，２６ｃ，２６ｄ，２６ｅ，２６ｆ，２６ｇ，２６ｈ，２６ｉ，２７ｃ，２７ｄ    コネクタ
２７ａ    拡張カード装填口
２８    本体筐体
２８Ａ    上部ケース
２８Ｂ    下部ケース
３０    表示ユニット
３１    表示画面
３２    表示筐体
３２Ａ    前方カバー
３２Ｂ    後方カバー
４０    ヒンジ部
１０１    ＣＰＵ
１０２    主メモリ
１０３    ハードディスク装置
１０４    オーディオデバイス
１０５    入力インタフェース
１０６    操作子
１０７    表示装置
１０９    小型メモリドライブ
１１０    光ディスクドライブ
１１１    通信インタフェース
１１２    出力インタフェース
１１３    バス
２００    液晶パネル
【図１】
0005056410.tif 000002
【図２】
0005056410.tif 000003
【図３】
0005056410.tif 000004
【図４】
0005056410.tif 000005
【図５】
0005056410.tif 000006
【図６】
0005056410.tif 000007
【図７】
0005056410.tif 000008
【図８】
0005056410.tif 000009
【図９】
0005056410.tif 000010
【図１０】
0005056410.tif 000011
【図１１】
0005056410.tif 000012
【図１２】
0005056410.tif 000013
【図１３】
0005056410.tif 000014
【図１４】
0005056410.tif 000015
【図１５】
0005056410.tif 000016
【図１６】
0005056410.tif 000017
【図１７】
0005056410.tif 000018
【図１８】
0005056410.tif 000019
【図１９】
0005056410.tif 000020
【図２０】
0005056410.tif 000021
【図２１】
0005056410.tif 000022
【図２２】
0005056410.tif 000023
【図２３】
0005056410.tif 000024
【図２４】
0005056410.tif 000025
【図２５】
0005056410.tif 000026
【図２６】
0005056410.tif 000027
【図２７】
0005056410.tif 000028
【図２８】
0005056410.tif 000029
【図２９】
0005056410.tif 000030
【図３０】
0005056410.tif 000031
【図３１】
0005056410.tif 000032
【図３２】
0005056410.tif 000033
【図３３】
0005056410.tif 000034
【図３４】
0005056410.tif 000035
【図３５】
0005056410.tif 000036
【図３６】
0005056410.tif 000037
【図３７】
0005056410.tif 000038